(57)【要約】【課題】配線コードを配線挿入口に通し易く、かつ、嵩張り難い遊技機用配線保持構造を提供する。【解決手段】保持板面上に設けられた配線保持部１５ａを一側から他側に跨ぐように突出して、配線コードＸを配線保持部１５ａに保持するとともに、配線保持部１５ａの他側に、配線コードＸを配線保持部１５ａに挿入するための配線挿入口２２を形成する保持片１８を具備する遊技機用配線保持構造にあって、保持板面上の、少なくとも配線保持部１５ａの他側に、保持片１８の両側縁に沿って伸びる一対のリブ２０を形成して、配線挿入口２２を該一対のリブ２０の端部と保持片１８との間に形成する。【選択図】図４
2018093970.tif 000002
【特許請求の範囲】
【請求項１】
遊技機の内部又は裏側の所定の保持板面上に設けられた配線保持部に配線コードを保持するための遊技機用配線保持構造であって、
前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、
前記保持板面上には、少なくとも前記配線保持部の他側に、前記保持片の両側縁に沿って伸びる一対のリブが形成されており、
前記配線挿入口は、前記一対のリブの端部と、前記保持片との間に形成されることを特徴とする遊技機用配線保持構造。
【請求項２】
前記配線コードを、前記配線挿入口を介して前記配線保持部から抜き取り可能に構成されたものであって、
前記保持片を前記保持板面から離間する方向に撓ませることにより、前記配線挿入口を前記配線コードが通過困難な幅から、前記配線コードが通過容易な幅に拡幅させ得るよう構成されており、
前記保持片は、常態で、前記配線保持部の一側から他側に向けて、前記保持板面に近接しない方向に延出していることを特徴とする請求項１に記載の遊技機用配線保持構造。
【請求項３】
前記配線コードを、前記配線挿入口を介して前記配線保持部から抜き取り可能に構成されたものであって、
前記保持片を前記保持板面から離間する方向に撓ませることにより、前記配線挿入口を前記配線コードが通過困難な幅から、前記配線コードが通過容易な幅に拡幅させ得るよう構成されており、
前記一対のリブは、前記配線保持部から前記配線挿入口に向けて、前記保持板面に対する高さが増すように傾斜していることを特徴とする請求項１又は請求項２に記載の遊技機用配線保持構造。
【請求項４】
複数本の前記配線コードを前記配線保持部に保持するよう構成されたものであって、
前記配線挿入口は、常態で、前記配線コードの直径未満の所定幅を有し、かつ、前記保持片の側縁に沿って、該配線コードの直径の２倍以上の長さ連続するスリット状をなしており、
前記保持片を前記保持板面から離間する方向に撓ませることにより、前記配線挿入口を前記配線コードの直径以上の幅に拡幅させ得るよう構成されていることを特徴とする請求項１乃至請求項３のいずれか１項に記載の遊技機用配線保持構造。
【発明の詳細な説明】
【技術分野】
【０００１】
本発明は、例えばパチンコ機やスロットマシンなどの遊技機において、配線コードを筐体内部や機裏の所定位置で保持するための遊技機用配線保持構造に関する。
【背景技術】
【０００２】
従来、スロットマシンなどの筐体内部やパチンコ機の機裏には、電気部材（スイッチ類又はＬＥＤ等の発光体）や制御基板が多数搭載されており、これに伴い、いわゆる配線コード（電源コードやハーネスを含む）が多数配されている。このような配線コードが纏まりなく無秩序に配されていると、配線コード同士が干渉して擦れ合ったり絡まったりする場合があり、また、制御基板のメンテナンス作業が煩雑となって配線に手間がかかったり、あるいは断線や破損などの思わぬ故障を招いたりする。このため、筐体内部や機裏の保持板面に配線を保持しておくための遊技機用配線保持構造（以下、単に「配線保持構造」ともいう。）が提案されている。
【０００３】
例えば、図１３に示すように、保持板面５０上の配線保持部１５０を一側から他側に跨ぐように保持片１８０を配設して、該保持片１８０によって配線コードＸを配線保持部１５０に保持する配線保持構造が知られている（例えば、特許文献１）。かかる、配線保持構造では、図１４に示すように、配線保持部１５０の側方に形成した狭幅な配線挿入口２２０から、配線コードＸを配線保持部１５０に挿入するよう構成される。
【０００４】
また、保持板面の一側と他側に保持片を垂設して、両側の保持片によって配線コードを配線保持部に保持する配線保持構造も知られている（例えば、特許文献２）。かかる構成では、配線保持部の真上に形成した狭幅な配線挿入口から、配線コードを配線保持部に挿入するよう構成される。
【先行技術文献】
【特許文献】
【０００５】
【特許文献１】特開２００１−０５４６６６号公報  図１０
【特許文献２】特開平１１−２４４４９２号公報    図６〜１１
【発明の概要】
【発明が解決しようとする課題】
【０００６】
ところで、図１３，１４に示した従来の配線保持構造では、保持板面５０と保持片１８０との間に配線挿入口２２０が形成されるため、配線コードＸを配線挿入口２２０に通す際に、図１４（ｂ）に示すように、配線コードＸを保持板面５０に沿って動かす必要がある。かかる作業に際しては、指と保持板面５０が干渉するため、配線コードＸを指の先端でしか摘まむことができず、作業性が悪いという欠点がある。
【０００７】
これに対して、上記特許文献２に記載の配線保持構造では、配線コードを配線挿入口に通す際に、指と保持板面が干渉することはないが、保持片を保持板面に垂設して、配線保持部の真上に配線挿入口を形成するため、嵩張りやすいという欠点がある。
【０００８】
本発明は、かかる現状に鑑みてなされたものであり、配線コードを配線挿入口に通し易く、かつ、嵩張り難い遊技機用配線保持構造の提供を目的とする。
【課題を解決するための手段】
【０００９】
本発明は、遊技機の内部又は裏側の所定の保持板面上に設けられた配線保持部に配線コードを保持するための遊技機用配線保持構造であって、前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、前記保持板面上には、少なくとも前記配線保持部の他側に、前記保持片の両側縁に沿って伸びる一対のリブが形成されており、前記配線挿入口は、前記一対のリブの端部と、前記保持片との間に形成されることを特徴とする遊技機用配線保持構造である。
【００１０】
かかる構成にあっては、配線挿入口は、保持板面上に形成されたリブの端部と保持片との間に形成され、リブの高さ分だけ保持板面から離間することとなる。このため、本発明では、配線コードを配線挿入口に通す際に、指を保持板面と干渉させることなく、配線コードを指の腹部分でしっかりと摘まんで作業できる。また、本発明の配線保持構造は、配線保持部の側方に配線挿入口が形成されるため、上記特許文献２の配線保持構造に比べて、配線保持構造の保持板面に対する高さを抑えることができるという利点がある。したがって、本発明によれば、配線コードを配線挿入口に通しやすく、かつ、嵩張り難い遊技機用配線保持構造が実現される。
【００１１】
本発明にあって、前記配線コードを、前記配線挿入口を介して前記配線保持部から抜き取り可能に構成されたものであって、前記保持片を前記保持板面から離間する方向に撓ませることにより、前記配線挿入口を前記配線コードが通過困難な幅から、前記配線コードが通過容易な幅に拡幅させ得るよう構成されており、前記保持片は、常態で、前記配線保持部の一側から他側に向けて、前記保持板面に近接しない方向に延出している構成が提案される。
【００１２】
図１３，１４に示した従来の配線保持構造では、保持片１８０が、配線保持部１５０から配線挿入口２２０に向けて、保持板面５０に近接する方向に延出しているため、配線保持部１５０から配線コードＸを抜き取る際に、配線コードＸを保持板面５０の斜め上方に引き上げると、配線コードＸが保持片１８０に引っ掛かってしまう。このため、かかる従来の配線保持構造では、配線保持部１５０から配線コードＸを抜き取る際に、保持片１８０に引っ掛からないように配線コードＸを保持板面５０に沿って動かして配線挿入口２２０を通過させ（図１４（ｃ）→１４（ｂ））、しかる後に、配線コードＸを保持板面５０から引き上げるという二段階の操作が必要となる（図１４（ｂ）→図１４（ａ））。これに対して、かかる構成では、保持片は、配線保持部の他側に向けて保持板面に近接しない方向（保持板面と平行、又は保持板面から離間する方向）に延出しているため、配線保持部から配線コードを抜き取る際に、配線コードを保持板面の斜め上方に引き上げることで、保持片に引っ掛けることなく配線挿入口を通過させることができる。このため、かかる構成では、配線コードを斜め上方に引き上げるという一段階の操作で、配線保持部から配線コードを抜き取ることができ、従来構成に比べて配線コードの抜取りが容易となる。
【００１３】
また、本発明にあって、前記配線コードを、前記配線挿入口を介して前記配線保持部から抜き取り可能に構成されたものであって、前記保持片を前記保持板面から離間する方向に撓ませることにより、前記配線挿入口を前記配線コードが通過困難な幅から、前記配線コードが通過容易な幅に拡幅させ得るよう構成されており、前記一対のリブは、前記配線保持部から前記配線挿入口に向けて、前記保持板面に対する高さが増すように傾斜している構成が提案される。
【００１４】
かかる構成にあっては、配線コードを配線保持部から抜き取る際に、嵩上げリブの、配線保持部から配線挿入口に向かう部分が案内作用を発揮することにより、保持板面から離れた位置に形成された配線挿入口に円滑に配線コードを案内することが可能となる。
【００１５】
また、本発明にあって、複数本の前記配線コードを前記配線保持部に保持するよう構成されたものであって、前記配線挿入口は、常態で、前記配線コードの直径未満の所定幅を有し、かつ、前記保持片の側縁に沿って、該配線コードの直径の２倍以上の長さ連続するスリット状をなしており、前記保持片を前記保持板面から離間する方向に撓ませることにより、前記配線挿入口を前記配線コードの直径以上の幅に拡幅させ得るよう構成されていることが提案される。
【００１６】
かかる構成のように、配線挿入口をスリット状とした場合には、先の配線コードが拡幅状態の配線挿入口を通過し終える前に、次の配線コードを配線挿入口に進入させてリブと保持片の間に挟むことによって、先の配線コードが通過し終えた後に配線挿入口が常態に戻るのを阻止することができる。このため、かかる構成によれば、配線挿入口を常態から何度も拡幅させることなく、配線挿入口に複数本の配線コードを効率的に通すことが可能となる。
【図面の簡単な説明】
【００１７】
【図１】リールユニット１の斜視図である。
【図２】リール制御基板８と基板ケース９を天板５から分離して示すリールユニット１の上部拡大斜視図である。
【図３】実施例の配線保持部１５ａ〜１５ｅを示すリールユニット１の上部拡大斜視図である。
【図４】（ａ）は、実施例の配線保持構造の斜視図であり、（ｂ）は、同配線保持構造を、保持片１８を縦断して示す斜視図である。
【図５】実施例の配線保持構造を上方から見た斜視図である。
【図６】実施例の配線保持構造を、天板５を縦断して示す右側面図である。
【図７】図６中の（ａ）Ａ−Ａ線断面図、（ｂ）Ｂ−Ｂ線断面図、（ｃ）Ｃ−Ｃ線断面図である。
【図８】（ａ）は、実施例の配線保持構造の平面図であり、（ｂ）は、実施例の配線保持構造を、天板５を縦断して示す右側面図である。
【図９】実施例の配線保持構造にあって、配線コードＸを配線保持部１５ａに挿入する手順を示す説明図である。
【図１０】図９から続く、配線コードＸを配線保持部１５ａに挿入する手順を示す説明図である。
【図１１】天板５を縦断して示す、変形例の配線保持構造の右側面図である。
【図１２】（ａ）変形例の配線保持構造の斜視図であり、（ｂ）は、同配線保持構造を、保持片１８を縦断して示す斜視図である。
【図１３】従来の配線保持構造の斜視図である。
【図１４】従来の配線保持構造にあって、配線コードＸを配線保持部１５０に挿入する手順を示す説明図である。
【発明を実施するための形態】
【００１８】
本発明の実施形態を、以下の実施例に従って説明する。
【００１９】
本実施例は、スロットマシンの筐体内部に配設されるリールユニットに関する配線コードを、リールユニットの天板の上面に保持する配線保持構造である。すなわち、本実施例にあっては、リールユニットの天板の上面が本発明に係る保持板面に相当する。また、本実施例では、後述する嵩上げリブ２０が本発明に係るリブに相当する。
【００２０】
図１は、スロットマシンのリールユニット１の斜視図である。リールユニット１は、枠体としてのフレーム２を備えている。該フレーム２は、矩形状の底部３と、該底部３の左右両端から各々立ち上がる左右一対の側部４と、該左右一対の側部４の上端間に水平に差し渡された天板５とを有している。天板５は、フレーム２の剛性を高めるべく、ガラス繊維が充填されたＡＢＳ樹脂製の板部材が好適に採用される。フレーム２の枠内には、ステッピングモータ（図示省略）が取り付けられており、該ステッピングモータの回動軸にリール７が接続されている。また、フレーム２の枠内には、リール７の回転角度を光学的に検知する回転検知センサ（図示省略）が配設される。
【００２１】
図２に示すように、天板５の上面には、横長矩形状の基板装着部１０が形成されており、該基板装着部１０に、リール７の回転を制御するリール制御基板８が装着され、さらに、装着されたリール制御基板８を覆うように、蓋形状の基板ケース９が装着される。基板ケース９は、リール制御基板８の視認性を高めるべく、透明のポリカーボネート（ＰＣ）によって構成されたものであり、リール制御基板８及び天板５と共締めされる。基板ケース９の適宜位置には、リール制御基板８に設けられたコネクタ１１を露出させるコネクタ用開口部１２が複数設けられており、コネクタ用開口部１２を介して、配線コードの先端に取り付けられたコネクタ（図示省略）が接続される。
【００２２】
リール制御基板８には、リール制御基板８をステッピングモータや回転検知センサと接続する配線コードや、遊技を制御するメイン制御基板（図示省略）とリール制御基板８とを接続する配線コードが接続される。そして、図３に示すように、リールユニット１の天板５には、配線コードを天板５の上面に纏めて保持するための配線保持部１５ａ〜１５ｅが配設される。配線保持部１５ａ〜１５ｅは、基板ケース９の手前側に５箇所設けられており、夫々の配線保持部１５ａ〜１５ｅに、複数本の配線コードを左右方向に横たえた状態で保持し得るようになっている。そして、個々の配線保持部１５ａ〜１５ｅには、配線保持部１５ａ〜１５ｅに配線コードを保持するための配線保持構造が配設される。各配線保持部１５ａ〜１５ｅの配線保持構造は全て共通であるため、以下では、右端の配線保持部１５ａの配線保持構造について説明し、その他の配線保持部１５ｂ〜１５ｅに係る配線保持構造の説明を省略する。
【００２３】
図４に示すように、配線保持部１５ａは、天板５の上面の、基板ケース９の手前側に設けられる。かかる配線保持部１５ａは、３本の配線コードＸを左右方向に横たえた状態で保持するよう構成されたものである。配線保持部１５ａに保持される３本の配線コードＸは、同じワイヤハーネスを構成するものであり、３本の配線コードＸの両端は、共通のコネクタ（図示省略）と接続されている。配線保持部１５ａに配線コードＸを保持するための配線保持構造は、基板ケース９の手前側端部１７と、該手前側端部１７から手前側に延出する保持片１８と、天板５の上面に形成されて、保持片１８の左右両側縁に沿って前後に延びる左右一対の嵩上げリブ２０とによって構成される。なお、天板５の上面には、配線保持部１５ａの周囲に、左右方向に延びる補強リブ２１も形成されているが、かかる補強リブ２１は、天板５を補強する専用のリブであり、配線コードＸの保持機能を有するものではない。また、後述するように、本実施例の配線保持構造は、ワイヤハーネスの交換修理や再利用を可能とするために、配線保持部１５ａに保持した配線コードＸを抜き取り得るよう構成されている。
【００２４】
図４〜７に示すように、保持片１８は、基板ケース９と一体成形されるものであり、配線保持部１５ａの上を、配線保持部１５ａの奥側から手前側に跨ぐように延出して、配線保持部１５ａの配線コードＸを天板５の上方から覆うように保持する。また、保持片１８の先端は開放端となっており、保持片１８は、配線保持部１５ａの手前側に、配線コードＸを配線保持部１５ａに挿入するための狭幅な配線挿入口２２を形成する。保持片１８は、平面視矩形状をなす舌片であり、水平延出部２３と、離間延出部２４と、最先端部２５とで構成される。水平延出部２３は、基板ケース９の手前側端部１７から手前側に水平に延出して、配線保持部１５ａの上を覆う部位である。離間延出部２４は、水平延出部２３の先端から、手前側に向けて斜め上方に延出する部位である。最先端部２５は、離間延出部２４の先端から略水平に延出する部位である。かかる保持片１８は、水平延出部２３を上下に撓ませることにより、離間延出部及び最先端部２５を上下方向に傾動させ得るよう形成されている。また、保持片１８には、水平延出部２３の先端に、天板５の上面方向に突出する小突部２６が形成され、保持片１８の基端側には、保持片１８を補強するための補強用リブ２７が形成されている。
【００２５】
前記一対の嵩上げリブ２０は、図４〜７に示すように、天板５の上面にあって、保持片１８の左側縁と右側縁に沿うように前後に形成される。嵩上げリブ２０は、天板５と一体成形されるものであり、一対の嵩上げリブ２０は、保持片１８を中心に対称位置に設けられ、かつ、対称形状をなしている。嵩上げリブ２０は、基板ケース９の手前側から保持片１８の全長に亘って形成され、天板５の前端まで延びている。詳述すると、嵩上げリブ２０は、基板ケース９の手前側から配線保持部１５ａを横切るように形成された比較的低い低壁部２９と、配線保持部１５ａの手前側に形成された比較的高い高壁部３１と、低壁部２９と高壁部３１の間に形成されて、低壁部２９の高さから高壁部３１の高さまで連続的に傾斜する傾斜壁部３０とによって構成される。なお、図５に示すように、嵩上げリブ２０は、保持片１８の両側縁の外側に形成されており、保持片１８と上下方向には重なっていない。
【００２６】
図４，５に示すように、配線挿入口２２は、配線保持部１５ａの手前側で、天板５と保持片１８の隙間が最も狭くなる部分であり、保持片１８の側縁部と嵩上げリブ２０の上端部の間に形成される。かかる配線挿入口２２は、図６，７（ｂ）に示すように、常態（保持片１８が撓んでいない状態）で、保持片１８の水平延出部２３の先端側と離間延出部２４の基端側が、嵩上げリブ２０の傾斜壁部３０と左右に重なる部分に形成される。配線挿入口２２は、振動や衝撃等によって配線コードＸが配線保持部１５ａから脱落しないように、常態では、配線コードＸが通過困難な幅となっているが、保持片１８を上方に撓ませることにより、配線コードＸが通過容易な幅に拡幅させることができる。
【００２７】
配線挿入口２２について詳述すると、図８（ａ），８（ｂ）に示すように、常態では、保持片１８と嵩上げリブ２０とは、配線コードＸの直径Ｄの２倍以上の前後長Ｌに亘って左右に重なっている。そして、保持片１８と嵩上げリブ２０が左右に重なる部位では、保持片１８と嵩上げリブ２０の隙間が、配線コードＸの直径Ｄよりも狭い一定幅Ｗとなっている。このため、配線挿入口２２は、常態では、配線コードＸの直径Ｄよりも狭い一定幅Ｗを有し、配線コードＸの直径Ｄの２倍以上の長さＬに亘って前後に連続するスリット状をなしている。このように、配線挿入口２２は、常態では配線コードＸが通過不能な形状となっているが、図６に示すように、保持片１８を上方に撓ませて、配線挿入口２２を配線コードＸの直径以上の幅に拡幅させることで、配線コードＸを配線挿入口２２に容易に通過させることができる。
【００２８】
図６に示すように、配線挿入口２２の手前側では、配線挿入口２２に向けて下方傾斜する保持片１８の離間延出部２４と、嵩上げリブ２０の水平な高壁部３１とによって、保持片１８と嵩上げリブ２０の間隔が配線挿入口２２に向けて先細り形状となっている。かかる構成によれば、配線コードＸを外部から配線挿入口２２に通す際に、離間延出部２４と高壁部３１の案内作用によって、配線コードＸを狭幅な配線挿入口２２まで容易に到達させることができる。さらには、離間延出部２４と高壁部３１の間の狭幅となった部分に配線コードＸを押し入れて保持片１８を上方に撓ませることで、配線挿入口２２を配線コードＸが通過可能な幅に拡幅させることができる。
【００２９】
また、図６に示すように、配線挿入口２２の奥側では、水平な保持片１８の水平延出部２３と、配線挿入口２２に向けて上方傾斜する嵩上げリブ２０の傾斜壁部３０とによって、保持片１８と嵩上げリブ２０の間隔が配線挿入口２２に向けて先細り形状となっている。かかる構成によれば、配線コードＸを配線保持部１５ａから配線挿入口２２に通す際に、水平延出部２３と傾斜壁部３０の案内作用によって、配線コードＸを狭幅な配線挿入口２２まで容易に到達させることができる。さらには、水平延出部２３と傾斜壁部３０の間の狭幅となった部分に配線コードＸを押し入れて保持片１８を上方に撓ませることで、配線挿入口２２を配線コードＸが通過可能な幅に拡幅させることができる。
【００３０】
図９，１０を参照して、配線保持部１５ａに配線コードＸを挿抜する手順について具体的に説明する。なお、上述したように、配線保持部１５ａに保持する３本の配線コードＸは、同じワイヤハーネスを構成するものであるため、３本の配線コードＸは一纏めにして配線保持部１５ａに対して挿抜する。
【００３１】
配線コードＸを配線保持部１５ａに挿入する際には、まず、図９（ａ）に示すように、嵩上げリブ２０の外側（両側又は片側）で配線コードＸを摘まんで、保持片１８の最先端部２５と嵩上げリブ２０の高壁部３１の間に挿入する。そして、かかる状態で、配線コードＸを奥側に押し込むと、図９（ｂ）に示すように、離間延出部２４と高壁部３１の案内作用によって、配線コードＸを配線挿入口２２まで容易に到達させることができる。さらには、離間延出部２４と高壁部３１の間の狭幅となった部分に配線コードＸを押し入れて保持片１８を上方に撓ませることで、配線挿入口２２を配線コードＸが通過容易な幅に拡幅させることができる。このため、摘まんだ配線コードＸをさらに奥側に押し込めば、図１０（ａ）→１０（ｂ）→１０（ｃ）に示すように、拡幅した配線挿入口２２を通過させて、配線コードＸを配線保持部１５ａまで挿入することができる。
【００３２】
配線コードＸを配線保持部１５ａから抜き取る際には、挿入時と逆の手順を行う。すなわち、図１０（ｃ）→１０（ｂ）に示すように、配線保持部１５ａに保持した配線コードＸを、嵩上げリブ２０の外側（両側又は片側）で摘まんで手前側に引き上げる。これにより、水平延出部２３と傾斜壁部３０の案内作用によって、配線コードＸを配線挿入口２２まで容易に到達させることができる。さらには、水平延出部２３と傾斜壁部３０の間の狭幅となった部分に配線コードＸを押し入れて保持片１８を上方に撓ませることで、配線挿入口２２を配線コードＸが通過容易な幅に拡幅させることができる。このため、摘まんだ配線コードＸをさらに手前側に引き上げれば、図１０（ａ）→９（ｂ）→９（ａ）に示すように、拡幅した配線挿入口２２を通過させて、配線コードＸを配線保持部１５ａから抜き取ることができる。
【００３３】
このように、本実施例の配線保持構造では、保持片１８と嵩上げリブ２０の間隔は、手前側から配線挿入口２２に向けて先細りとなっている。このため、配線コードＸを手前側から配線挿入口２２に向けて押し込むだけで、配線コードＸが通過可能な幅にまで配線挿入口２２を拡幅させて、配線コードＸを配線保持部１５ａに挿入できる。また、本実施例の配線保持構造では、保持片１８と嵩上げリブ２０の間隔は、配線保持部１５ａから配線挿入口２２に向けて先細りとなっている。このため、配線コードＸを配線保持部１５ａから手前側に引き上げるだけで、配線コードＸが通過可能な幅にまで配線挿入口２２を拡幅させて、配線コードＸを配線保持部１５ａから抜き取ることができる。
【００３４】
また、本実施例では、配線挿入口２２が、保持片１８と嵩上げリブ２０の端部の間に形成されて、嵩上げリブ２０の高さ分だけ天板５の上面から離れた位置に形成されている。このため、図９，１０に示すように、配線コードＸを配線挿入口２２に通す際に、指を天板５の上面と干渉させることなく、配線コードＸを指の腹部分でしっかりと摘まんで作業できるという利点がある。
【００３５】
また、本実施例では、保持片１８が、手前側に向けて斜め上方に延出する離間延出部２４と、略水平に延出する水平延出部２３及び最先端部２５とで構成されており、保持片１８の全ての部分において、天板５の上面に近接しない方向に延出している。かかる構成によれば、配線保持部１５ａの配線コードＸを配線挿入口２２に向けて斜め上方に引き上げることで、該配線コードＸを保持片１８に引っ掛けることなく配線挿入口２２に通すことができる。このため、本実施例の配線保持構造によれば、配線コードＸを斜め上方に引き上げるという一段階の操作で、配線保持部１５ａから配線コードＸを抜き取ることが可能となる。
【００３６】
また、本実施例では、嵩上げリブ２０は、傾斜壁部３０の形成部位において、配線保持部１５ａから配線挿入口２２に向けて上り傾斜している。かかる構成によれば、配線保持部１５ａから配線コードＸを抜き取る際に、傾斜壁部３０が配線コードＸを配線挿入口２２の高さに案内する作用を発揮するため、配線コードＸを嵩上げリブ２０に引っ掛けることなく、配線コードＸを配線保持部１５ａから円滑に抜き取ることができる。
【００３７】
また、本実施例では、配線挿入口２２は、常態では、配線コードＸの直径Ｄよりも狭い幅Ｗを有し、保持片１８の側縁に沿って配線コードＸの直径Ｄの２倍以上の長さＬに亘って連続するスリット状をなしている。かかる構成によれば、配線コードＸを配線挿入口２２に通す際に、拡幅した配線挿入口２２を先の配線コードＸが通過し終える前に、次の配線コードＸを配線挿入口２２に進入させて保持片１８と嵩上げリブ２０の間に挟むことによって、先の配線コードＸが通過し終えた後に配線挿入口２２が常態に戻るのを阻止できる。このため、本実施例にあっては、配線挿入口２２を常態から何度も拡幅させることなく、配線挿入口２２に複数本の配線コードＸを効率的に通すことができる。
【００３８】
また、本実施例では、嵩上げリブ２０は、配線保持部１５ａの手前側に形成されるだけでなく、配線保持部１５ａを奥側から手前側に横断するように形成されており、配線コードＸは、配線保持部１５ａにおいて、嵩上げリブ２０の低壁部２９の高さ分だけ、天板５の上面より上方に保持される。このため、本実施例では、配線コードＸを配線保持部１５ａから抜き取る際に、配線保持部１５ａに保持した配線コードＸを指の先端でなく、指の腹の部分でしっかりと摘まむことができるという利点がある（図１０（ｃ）参照）。
【００３９】
また、本実施例では、図６に示すように、保持片１８の水平延出部２３の先端に、天板５の上面方向に突出する小突部２６が形成されている。かかる構成にあっては、配線コードＸを配線保持部１５ａに挿入する際に、小突部２６の部分で軽い手応えが得られるため、配線コードＸを配線保持部１５ａまで正常に挿入したことを、作業者が手応えで確実に確認できるという利点がある。ここで、かかる小突部２６は、図７（ｂ）に示すように、保持片１８の両側縁よりも内側に形成される。このため、小突部２６が形成される部位において、保持片１８の両側縁には、天板５の上面側に、天板５の上面に向けて縮幅する階段状の角部４６が形成され、当該角部４６には、２段の角が内側と外側に形成される。かかる構成によれば、配線コードＸが小突部２６に当接した時に、配線コードＸが角部４６の内外の角と２箇所で当接するため、配線コードＸの被覆に加わる負荷が二分される。したがって、本実施例にあっては、配線コードＸを配線挿入口２２に通す際に、配線コードＸを保持片１８の小突部２６に強く押し当てたとしても、保持片１８の角部４６で、配線コードＸの被覆が破れ難いという利点がある。
【００４０】
また、本実施例の配線保持構造は、配線保持部１５ａの手前側に配線挿入口２２が形成されるため、配線保持部１５ａの上方に配線挿入口を形成する従来構成に比べて、天板５に対する配線保持構造の高さを抑えることができ、配線保持構造が嵩張らない分だけ天板５の上方のスペースを他の用途に活用できるという利点がある。
【００４１】
また、本実施例では、嵩上げリブ２０は、配線保持構造として機能するだけでなく、天板５を補強する機能も有しているため、嵩上げリブ２０を配設した分だけ、天板５の厚さを薄くしたり、天板を補強する専用のリブの本数を削減したりすることが可能となる。
【００４２】
図１１（ａ）〜１１（ｃ）は、上記実施例の配線保持構造の構成を一部変更した変形例の配線保持構造である。なお、以下に述べる変更点以外の構成は上記実施例と共通であるため、共通する構成については、本文及び図中で同一符号を付して詳細な説明を省略する。
【００４３】
図１１（ａ）は、嵩上げリブの形状を変更した変形例である。具体的には、本変形例の嵩上げリブ２０ａは、配線保持部１５ａを横断せず、配線保持部１５ａの手前側にのみ形成される。かかる変形例では、配線保持部１５ａにおいて、配線コードＸが天板５の上面に被着した状態で保持されるため、配線保持部１５ａに保持された配線コードＸを指の先端で摘まみ上げる必要がある。しかしながら、手前側の配線挿入口２２は、嵩上げリブ２０ａの高さ分だけ天板５の上面から離れた位置に形成されるため、配線コードＸを配線挿入口２２に通す際は、上記実施例同様に、指を天板５の上面と干渉させることなく、配線コードＸを指の腹部分でしっかりと摘まんで作業できる。このように、本発明に係る嵩上げリブは、配線保持部の手前側（配線挿入口側）に形成されるだけであってもよい。
【００４４】
図１１（ｂ）は、嵩上げリブの形状を変更した変形例である。具体的には、本変形例の嵩上げリブ２０ｂは、低壁部２９ａと傾斜壁部３０ａの高さが長手方向に連続せず、配線挿入口２２の奥側で階段状となっている。かかる変形例では、配線保持部１５ａの配線コードＸを手前側に引き上げた際に、配線コードＸが嵩上げリブ２０ｂの階段状部分に引っ掛かりやすいため、上記実施例と比べると配線コードＸを配線保持部１５ａから抜き取り難いものとなる。しかしながら、配線コードＸを配線保持部１５ａから抜き取る頻度が少ない場合には、かかる変形例のように構成しても差し支えない。このように、本発明の配線保持構造は、配線コードの抜取りが困難な配線保持部に対しても適用可能である。
【００４５】
図１１（ｃ）は、保持片の形状を変更した変形例である。具体的には、本変形例の保持片１８ａは、水平延出部２３ａと離間延出部２４ａの間に、手前側に向けて斜め下方に延出する近接延出部２８が形成される。かかる変形例では、配線保持部１５ａの配線コードＸを手前側に引き上げた際に、配線コードＸが保持片１８ａの近接延出部２８に引っ掛かりやすいため、上記実施例と比べると配線コードＸを配線保持部１５ａから抜き取り難いものとなる。しかしながら、配線コードＸを配線保持部１５ａから抜き取る頻度が少ない場合には、かかる変形例のように構成しても差し支えない。また、本変形例では、水平延出部２３ａの先端に近接延出部２８が形成されるが、保持片１８ａに水平延出部２３ａを配設せず、基板ケース９の手前側端部１７から手前側に向けて斜め下方に延出する近接延出部を配設するようにしてもよい。
【００４６】
図１２は、保持片を基板ケースと一体成形せず、天板と一体成形した変形例である。具体的には、本変形例の保持片１８ｂは、天板５の、配線保持部１５ａの奥側に、起立壁４３が立設されており、該起立壁４３の上端から配線保持部１５ａの手前側に向けて、保持片１８ｂが延成される。また、本変形例では、天板５と保持片１８ｂを射出成形により一体成形するために、天板５の、保持片１８ｂと対向する部位に開口部４４が形成される。このように、本発明に係る保持片は、保持板面を構成する部材と一体成形されるものであってもよい。また、本発明に係る配線保持部は、本実施例のように天板５に形成された開口部４４の上に設けられるものを含む。すなわち、本発明に係る保持板面上は、板材の上に限らず、板材に形成された開口部の上を含む。
【００４７】
以上に本発明の実施例を説明したが、本発明の遊技機用配線保持構造は、上記実施例の形態に限らず本発明の要旨を逸脱しない範囲内において種々変更を加えることができる。
【００４８】
例えば、上記実施例は、スロットマシンのリールユニットの天板上面を、本発明に係る保持板面とする例であるが、本発明に係る保持板面は、前扉の裏面や基板ケースの表面であってもよい。すなわち、本発明に係る保持板面は、天板上面のような水平面に限られず、傾斜面や垂直面であってもよい。また、本発明は、スロットマシンの配線保持構造に限らず、パチンコ機の配線保持構造にも同様にして適用可能である。
【００４９】
また、上記実施例に係る配線保持部１５ａは、１組のワイヤハーネスを構成する３本の配線コードＸを保持するものであるが、本発明に係る配線保持部に保持する配線コードの本数や種類、太さ、形状は特に限定されず、複数の配線コードを一体的に束ねたものであってもよい。
【００５０】
また、上記実施例では、一対の嵩上げリブ２０，２０は、保持片１８を挟んで対称位置に配設され、対称形状をなしているが、非対称位置に配設したり、非対称形状にしたりしてもかまわない。
【００５１】
また、上記実施例では、平面視において保持片１８と嵩上げリブ２０が重ならないように配置されているが、本発明に係る保持片と嵩上げリブは、保持板面と垂直な方向に重なるよう配置してもかまわない。
【符号の説明】
【００５２】
５  天板
９  基板ケース
１５ａ，１５ｂ，１５ｃ，１５ｄ，１５０  配線保持部
１７  手前側端部
１８，１８ａ，１８ｂ，１８０  保持片
２０，２０ａ，２０ｂ  嵩上げリブ
２２，２２０  配線挿入口
２３  水平延出部
２４  離間延出部
２５  最先端部
２６  小突部
２８  近接延出部
２９  低壁部
３０  傾斜壁部
３１  高壁部
４３  起立壁
４４  開口部
５０  保持板面
Ｘ 配線コード
【図１】
2018093970.tif 000003
【図２】
2018093970.tif 000004
【図３】
2018093970.tif 000005
【図４】
2018093970.tif 000006
【図５】
2018093970.tif 000007
【図６】
2018093970.tif 000008
【図７】
2018093970.tif 000009
【図８】
2018093970.tif 000010
【図９】
2018093970.tif 000011
【図１０】
2018093970.tif 000012
【図１１】
2018093970.tif 000013
【図１２】
2018093970.tif 000014
【図１３】
2018093970.tif 000015
【図１４】
2018093970.tif 000016
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
遊技機の内部又は裏側の所定の保持板面上に設けられた配線保持部に配線コードを保持するための遊技機用配線保持構造であって、
前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、
前記保持板面上には、少なくとも前記配線保持部の他側に、前記保持片の両側縁に沿って伸びる一対のリブが形成されており、
前記配線挿入口は、前記一対のリブの端部と、前記保持片との間に形成されており、
前記一対のリブは、前記保持片の先端よりも前記配線保持部の他側に延出しており、前記配線挿入口の、前記配線保持部の反対側で、前記保持片と前記一対のリブとの間隔が、前記配線挿入口に向けて先細り形状となっていることを特徴とする遊技機用配線保持構造。
【請求項２】
遊技機の内部又は裏側の所定の保持板面上に設けられた配線保持部に配線コードを保持するための遊技機用配線保持構造であって、
前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、
前記保持板面上には、少なくとも前記配線保持部の他側に、前記保持片の両側縁に沿って伸びる一対のリブが形成されており、
前記配線挿入口は、前記一対のリブの端部と、前記保持片との間に形成されており、
前記一対のリブは、前記保持片との間に前記配線挿入口を形成する部分において、前記配線保持部に向けて、前記保持板面に対する高さが低くなるように連続的に傾斜していることを特徴とする遊技機用配線保持構造。
【請求項３】
前記配線コードを、前記配線挿入口を介して前記配線保持部から抜き取り可能に構成されたものであって、
前記保持片を前記保持板面から離間する方向に撓ませることにより、前記配線挿入口を前記配線コードが通過困難な幅から、前記配線コードが通過容易な幅に拡幅させ得るよう構成されており、
前記保持片は、常態で、前記配線保持部の一側から他側に向けて、前記保持板面に近接しない方向に延出していることを特徴とする請求項１又は請求項２に記載の遊技機用配線保持構造。
【請求項４】
前記配線コードを、前記配線挿入口を介して前記配線保持部から抜き取り可能に構成されたものであって、
前記保持片を前記保持板面から離間する方向に撓ませることにより、前記配線挿入口を前記配線コードが通過困難な幅から、前記配線コードが通過容易な幅に拡幅させ得るよう構成されており、
前記一対のリブは、前記配線保持部から前記配線挿入口に向けて、前記保持板面に対する高さが増すように傾斜していることを特徴とする請求項１乃至請求項３のいずれか１項に記載の遊技機用配線保持構造。
【手続補正２】
【補正対象書類名】明細書
【補正対象項目名】０００９
【補正方法】変更
【補正の内容】
【０００９】
本発明は、遊技機の内部又は裏側の所定の保持板面上に設けられた配線保持部に配線コードを保持するための遊技機用配線保持構造であって、前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、前記保持板面上には、少なくとも前記配線保持部の他側に、前記保持片の両側縁に沿って伸びる一対のリブが形成されており、前記配線挿入口は、前記一対のリブの端部と、前記保持片との間に形成されており、前記一対のリブは、前記保持片の先端よりも前記配線保持部の他側に延出しており、前記配線挿入口の、前記配線保持部の反対側で、前記保持片と前記一対のリブとの間隔が、前記配線挿入口に向けて先細り形状となっていることを特徴とする遊技機用配線保持構造である。
また、本発明の別の態様は、遊技機の内部又は裏側の所定の保持板面上に設けられた配線保持部に配線コードを保持するための遊技機用配線保持構造であって、前記配線保持部を一側から他側に跨ぐように延出して、前記配線コードを該配線保持部に保持するとともに、前記配線保持部の他側に、前記配線コードを前記配線保持部に挿入するための配線挿入口を形成する保持片を備え、前記保持板面上には、少なくとも前記配線保持部の他側に、前記保持片の両側縁に沿って伸びる一対のリブが形成されており、前記配線挿入口は、前記一対のリブの端部と、前記保持片との間に形成されており、前記一対のリブは、前記保持片との間に前記配線挿入口を形成する部分において、前記配線保持部に向けて、前記保持板面に対する高さが低くなるように連続的に傾斜していることを特徴とする遊技機用配線保持構造である。